(57)【要約】【課題】排紙トレイにセンサを備えたり、リセット時間を設定することなく、排紙の管理のために必要となるメモリの容量を低減させることができる画像形成装置を提供する。【解決手段】印刷用紙を出力する複数の排紙部１０，１１，６０，６１，６２，６３と、装置へのログインの可否を判断するユーザ認証部と、認証されたユーザ毎に印刷ジョブを許容し、当該印刷ジョブを管理するジョブ管理部と、前記ジョブ管理部による管理情報に基づいてユーザに印刷ジョブが出力された排紙部を案内表示する報知部７０ａ〜７０ｈとを備えている画像形成装置であって、前記報知部は、前記ユーザ認証部によりログインが許可されたユーザに対して、直前のログアウト以降に終了した印刷ジョブ毎に対応する排紙部を案内表示する。【選択図】図８
2009285848.tif 000002
【特許請求の範囲】
【請求項１】
印刷用紙を出力する複数の排紙部と、装置へのログインの可否を判断するユーザ認証部と、認証されたユーザ毎に印刷ジョブを許容し、当該印刷ジョブを管理するジョブ管理部と、前記ジョブ管理部による管理情報に基づいてユーザに印刷ジョブが出力された排紙部を案内表示する報知部とを備えている画像形成装置であって、
前記報知部は、前記ユーザ認証部によりログインが許可されたユーザに対して、直前のログアウト以降に終了した印刷ジョブ毎に対応する排紙部を案内表示する画像形成装置。
【請求項２】
前記報知部は、前記印刷ジョブに対応する排紙部が、各印刷ジョブで指定された排紙部以外の排紙部に出力された場合に、当該排紙部を案内表示する請求項１記載の画像形成装置。
【請求項３】
前記ジョブ管理部は、ログアウト時に、当該ユーザに関して既に終了している管理情報を消去する請求項１または２記載の画像形成装置。
【発明の詳細な説明】
【技術分野】
【０００１】
本発明は、印刷用紙を出力する複数の排紙部と、装置へのログインの可否を判断するユーザ認証部と、認証されたユーザ毎に印刷ジョブを許容し、当該印刷ジョブを管理するジョブ管理部と、前記ジョブ管理部による管理情報に基づいてユーザに印刷ジョブが出力された排紙部を案内表示する報知部とを備えている画像形成装置に関する。
【背景技術】
【０００２】
複写機能に加えて、ネットワークに接続可能なプリンタ、ファクシミリ等の機能を備えた複合機が普及している。また、これらの複合機は、ユーザの多様な要望を実現するため、使用目的に合わせたステープル／パンチ処理、冊子処理等の機能を有する後処理ユニットを備える画像形成装置が知られている。
【０００３】
このような後処理ユニットは、複数の排紙トレイを備え、ネットワークに接続されたＰＣで印刷ジョブを生成し、同印刷ジョブを送出するにあたり、ユーザが出力先の排紙トレイを指定でき、また、各種機能に応じて処理された印刷物を処理種別毎に予め設定または指定された排紙トレイに出力されるように構成されている。
【０００４】
このような複合機は印刷ジョブを検出すると、印刷処理を実行し、予め設定または指定された排紙トレイに印刷物を排紙する。従って、ユーザは印刷ジョブを送出する際に指定した排紙トレイから印刷物を迷うことなく取得することができる。
【０００５】
しかし、各印刷ジョブに対応する印刷物が出力される排紙トレイは、複合機の各排紙トレイの利用状況に柔軟に応じて、印刷ジョブを適宜利用可能な排紙トレイや当該印刷ジョブの処理態様に適した排紙トレイに割り振られることがある。
【０００６】
このような場合は、ユーザの指定した排紙トレイとは違う排紙トレイに自動的に出力され、また、ユーザが複数の印刷ジョブを指示し、前記印刷ジョブ毎に異なる排紙トレイに出力されるような場合は、いずれの排紙トレイに印刷ジョブが出力されたかが不明になるという課題があった。
【０００７】
複数のユーザで同じ複合機を利用する場合も、ユーザは自己の印刷ジョブによる印刷物が、いずれの排紙トレイに印刷ジョブが出力されたか不明で、複数の排紙トレイの中から前記自己の印刷物を探さなければならなかった。
【０００８】
そこで、特許文献１（特開２００１−２６５５６１号公報）には、ネットワーク上に接続された少なくとも１つ以上の複数の排紙トレイを有する画像形成装置にて所定の印刷ジョブが出力される排紙トレイを判別する判別手段と、前記判別手段の判別に従い前記印刷ジョブと当該排紙トレイとを同印刷ジョブに付加されている所定の識別データと対応させて管理する管理テーブルを生成する管理手段と、前記印刷ジョブの出力された排紙トレイを特定するための前記識別データの入力を受け付ける受付手段と、前記受付手段にて入力された識別データに基づいて前記管理テーブルを検索し、同入力された識別データの付加された印刷ジョブが出力された排紙トレイを特定する特定手段と、前記特定手段にて特定された排紙トレイを表示する表示手段とを具備する構成が開示されている。
【０００９】
特許文献２（特開２００５−０５５８６８号公報）には、複数の排紙トレイが設けられる後処理ユニットから記録媒体を排出させる場合に、記録媒体が排出される排出トレイの近傍に設けられる表示手段を点灯表示することで、ユーザは、用紙が排出される排紙トレイを的確に認識することができ、速やかに排出された記録媒体を回収することができる構成が開示されている。
【特許文献１】特開２００１−２６５５６１号公報
【特許文献２】特開２００５−０５５８６８号公報
【発明の開示】
【発明が解決しようとする課題】
【００１０】
しかし、管理手段が、印刷ジョブに対応して排出された印刷用紙が取り除かれるまでの間、その状態を管理すると、管理すべきデータ容量が膨大になりそのためだけに容量の大きなメモリが必要となる。
【００１１】
そこで、特許文献１に開示された構成では、施錠された排紙トレイを強制的に解錠する解放時間を設定して、前記解放時間が経過すると出力先の表示がリセットされるように構成されている。
【００１２】
特許文献２に開示された構成では、用紙が排紙トレイから取り除かれたことを検出するためのセンサを備え、用紙が排紙トレイから取り除かれると表示がリセットされるように構成されている。
【００１３】
このような構成によりメモリ容量を低減させることができるが、出力先の表示を時間経過でリセットする場合に、その時間をどの程度に設定すべきか、合理的な時間設定ができず、長時間に設定するとメモリ容量を低減できなくなる。
【００１４】
また、排紙トレイにセンサを備える場合には、センサの数が増加してコストが嵩むという問題があり、第三者が間違えて用紙を取り出すと最早表示できなくなるという問題があった。
【００１５】
本発明は上述の問題に鑑み、排紙トレイにセンサを備えたり、リセット時間を設定することなく、排紙の管理のために必要となるメモリの容量を低減させることができる画像形成装置を提供する点にある。
【課題を解決するための手段】
【００１６】
上述の目的を達成するため、本発明による画像形成装置の第一の特徴構成は、特許請求の範囲の書類の請求項１に記載した通り、印刷用紙を出力する複数の排紙部と、装置へのログインの可否を判断するユーザ認証部と、認証されたユーザ毎に印刷ジョブを許容し、当該印刷ジョブを管理するジョブ管理部と、前記ジョブ管理部による管理情報に基づいてユーザに印刷ジョブが出力された排紙部を案内表示する報知部とを備えている画像形成装置であって、前記報知部は、前記ユーザ認証部によりログインが許可されたユーザに対して、直前のログアウト以降に終了した印刷ジョブ毎に対応する排紙部を案内表示する点にある。
【００１７】
上述の構成によれば、ログアウト処理の時点で印刷ジョブが終了していない場合は、次回ログイン時に印刷ジョブの出力先を案内表示することで、ログインしたユーザは印刷物の出力先が確認できるので、複数ある排紙部から自己の印刷ジョブによる印刷物を探す手間が省け、さらに複数の印刷ジョブによって複数の排紙部に出力された場合も取り忘れることなく確実に印刷物の回収ができる。このとき、ジョブ管理部は前回のログアウト以降から今回のログアウトまでの間の排紙を管理すればよいので、メモリ容量を低減させることができる。
【００１８】
同第二の特徴構成は、同請求項２に記載した通り、上述の第一の特徴構成に加えて、前記報知部は、前記印刷ジョブに対応する排紙部が、各印刷ジョブで指定された排紙部以外の排紙部に出力された場合に、当該排紙部を案内表示する点にある。
【００１９】
上述の構成によれば、前記報知部は、前記印刷ジョブに対応する排紙部が、各印刷ジョブで指定された排紙部以外の排紙部に出力された場合に、出力先を案内表示することができるので、ユーザは指定した排紙部以外に印刷物が出力されたことが確認でき、自己の印刷物を探す手間が省け、さらに複数の印刷ジョブによって複数の排紙部に出力された場合も取り忘れることなく確実に印刷物の回収ができる。
【００２０】
同第三の特徴構成は、同請求項３に記載した通り、上述の第一または第二の特徴構成に加えて、前記ジョブ管理部は、ログアウト時に、当該ユーザに関して既に終了している管理情報を消去する点にある。
【００２１】
上述の構成によれば、排紙部に印刷物を検出するセンサ等を備えなくても、ログアウト時に既に終了している印刷ジョブの管理情報が消去されるので、次回のログイン時に既に一度ユーザが確認した印刷ジョブが再表示されるようなことがなく、ユーザの混乱を回避できる。
【発明の効果】
【００２２】
以上説明した通り、本発明によれば、排紙トレイにセンサを備えたり、リセット時間を設定することなく、排紙の管理のために必要となるメモリの容量を低減させることができる画像形成装置を提供することができるようになった。
【発明を実施するための最良の形態】
【００２３】
以下に、本発明の画像形成装置の一例であるデジタル複合機１について説明する。
【００２４】
図１に示すように、デジタル複合機１は画像形成ユニット１００とフィニッシャユニット２００がシリアル通信によりデータの送受信が可能なように構成されている。
【００２５】
画像形成ユニット１００は、複数のＰＣとネットワーク接続されており、ユーザはＰＣ９０のプリンタドライバで印刷ジョブを指示することで、画像形成ユニット１００及びフィニッシャユニット２００に所望の印刷ジョブを実行させることができる。
【００２６】
以下に、画像形成ユニット１００及びフィニッシャユニット２００が備える各機能ブロックを詳述する。
【００２７】
図２に示すように、画像形成ユニット１００は、原稿載置部２と、載置された原稿の画像を読み取る画像読取部３と、読み取られた画像データから出力画像データを生成する画像処理部４と、生成された出力画像データに基づいて感光体にトナー像を形成する画像形成部５と、感光体に形成されたトナー像を用紙に転写する転写部６と、転写されたトナー像を用紙に定着する定着部７と、用紙収容部８（８ａ〜８ｄ）と、搬送部９と、排紙部としての排紙トレイ１０，１１と、操作部１２等の機能ブロックを備え、各機能ブロックを制御して所定の画像形成プロセスを実行する制御部２０を備えている。
【００２８】
画像読取部３は、原稿載置部２に載置された原稿を読み取る光源、ＣＣＤ（Ｃｈａｒｇｅ  Ｃｏｕｐｌｅｄ  Ｄｅｖｉｃｅ）等を備えて構成され、光源から原稿へ照明走査した光の反射光を結像して光電変換することにより原稿の画像を読み取る。
【００２９】
画像処理部４は、画像読取部３で読み取られた画像データから出力画像データを生成し、画像形成部５に出力する。尚、画像データとは図形や写真等のイメージデータに限らず、文字や記号等のテキストデータ等も意味する。
【００３０】
画像形成部５は、感光ドラム、トナー等を備え、制御部２０からの印刷指示に従って、画像処理部４から入力された画像の静電潜像を感光ドラム表面に形成し、感光ドラム表面の静電潜像を含む領域にトナーを付着させ用紙収容部８から搬送される所定のサイズ、向きの用紙にトナーを転写して定着させる。
【００３１】
定着部７は、一対のローラで用紙を加熱、加圧することで、画像形成部５で転写されたトナーを用紙に定着させる。その後、前記用紙は搬送部９により、排紙トレイ１０，１１、またはフィニッシャユニット２００へ出力される。
【００３２】
用紙収容部８は、複数の収容トレイ８ａ〜８ｄで構成され、図示しない用紙の有無検知部や、収容されている用紙サイズを検知する用紙サイズ検知部を備え、検知信号を制御部２０に出力する。
【００３３】
搬送部９は、制御部２０からの指示に従って、モータ等からなる駆動部分を含むローラを用いて、原稿載置部２に載置された原稿を画像読取部３へ搬送したり、用紙収容部８に収容されている用紙を画像形成部５等の各部へ搬送するため搬送路で構成されている。
【００３４】
操作部１２は、操作入力部１２ａと操作表示部１２ｂで構成されている。操作入力部１２ａは、ＬＣＤ（Ｌｉｑｕｉｄ  Ｃｒｙｓｔａｌ  Ｄｉｓｐｌａｙ）の表示画面上に透明電極を格子状に配置した感圧式（抵抗膜圧式）のタッチパネルにより構成されている。また、操作入力部１２ａは、数字ボタン、スタートボタン等の各種操作ボタンを備え、ボタン操作による操作信号を制御部２０に出力する。操作表示部１２ｂは、ＬＣＤ等により構成され、制御部２０から入力される表示信号の指示に従って表示画面上に各種操作ボタンや装置の状態表示、各機能の動作状況等の表示を行う。
【００３５】
制御部２０は、図３に示すように、ＣＰＵ（Ｃｅｎｔｒａｌ  Ｐｒｏ  Ｕｎｉｔ）２２が組み込まれたマイクロコンピュータ２１と、ＣＰＵ２２により実行される制御プログラムや制御用のテーブルデータが格納されたＲＯＭ（Read Only Memory）２３と、バスにより接続された上述の各機能ブロックを制御するための演算データや制御データが格納されたＲＡＭ（Random Access Memory）２４と、画像読取部３で読み取った画像データ等を記憶する図示しない半導体メモリ（ＤＲＡＭ）や磁気ディスク（ＨＤＤ）と、各機能ブロックに制御信号を出力し、各種のセンサの検出値を入力する入出力インタフェース回路と、操作部１２を制御する操作制御部と、後述するフィニッシャユニット制御部５０とデータ通信するための双方向のシリアル通信ライン２５等を備え、操作部１２での入力操作及びネットワーク上のＰＣ９０からの入力操作により、ＲＯＭに記憶されているシステムプログラムや各種処理プログラムを読み出してＲＡＭ内に展開し、展開されたプログラムに従ってデジタル複合機１を統括制御して所定の印刷ジョブを実行する。
【００３６】
マイクロコンピュータ２１は、ユーザ管理部３０、ユーザ認証部３１、ジョブ管理部３２、報知部３３を備えている。
【００３７】
ユーザ管理部３０は、予めユーザのＩＤ及びパスワードを登録することで、デジタル複合機１を使用できるユーザを特定し、管理する。ユーザ認証方法として、操作入力部１２ａで入力されたユーザのＩＤとパスワードがユーザ管理部３０で予め登録されたものと一致すればユーザが認証され、デジタル複合機１へのログインを許可するローカル認証と、認証サーバを使用してユーザ認証し、デジタル複合機１へのログインを許可するネットワーク認証を備える。
【００３８】
ユーザ認証部３１は、図４に示すようなログイン画面にて、操作部１２で入力されたユーザのＩＤとパスワードがユーザ管理部３０で予め登録されたものと一致すればユーザをローカル認証しデジタル複合機１へのログインを許可し、または、認証サーバを使用してユーザをネットワーク認証し、デジタル複合機１へのログインを許可する。尚、ログイン後、操作部１２に備えたログアウトキーを押圧操作するか、所定の時間経過で自動的にログアウト処理が行われるように構成されている。
【００３９】
図５に示すように、ユーザがネットワーク上のＰＣ９０からデジタル複合機１に送信する印刷ジョブには、プリンタドライバによりジョブ番号、枚数や後処理等の条件、印字データに加え、印刷ジョブを指示したユーザのＩＤ及びパスワード等のユーザ情報が付加されている。
【００４０】
ジョブ管理部３２は、印刷ジョブに付加されたＩＤ及びパスワードのユーザ情報により前記ユーザ認証部３１がネットワーク認証を許可すると、当該印刷ジョブをＲＡＭに保存し管理する。さらに、ジョブ管理部３２は、印刷ジョブに付加されたジョブ条件により後処理方法を判断し、結果を制御部２０に出力する。尚、ネットワーク認証しない場合は、該印刷ジョブを処理するか処理しないかを設定できる。本実施例では、ネットワーク認証されないときは当該印刷ジョブは処理されない構成について説明する。
【００４１】
ジョブ管理部３２は、ユーザ毎に印刷ジョブに付加されたジョブ条件により用紙の出力先を、ユーザ情報と共に管理する。これによりネットワーク上のＰＣ９０から送信した印刷ジョブが自動的にフィニッシャユニット２００を含むいずれかの排紙トレイから出力されても、当該印刷ジョブに付加したユーザのＩＤ及びパスワード等のユーザ情報から、当該ログインしたユーザに関する印刷ジョブの出力先等情報をログイン時に表示することができる。
【００４２】
報知部３３は、図６（ａ）に示すように、ユーザ認証部３１によりログインが許可されたユーザに対して、当該ユーザの印刷ジョブによる出力先を前記操作表示部１２ｂに表示する。ログイン中は、案内表示キー１３により案内表示を消去及び再表示できるように構成されている。同図では、ユーザがログイン時には印刷ジョブ番号１，２，３が既に終了しており、ジョブ番号４を実行中であること、印刷ジョブ番号２にかかる排紙トレイの案内表示は、ユーザが印刷ジョブ番号２の印刷物をサブトレイから回収済みなので、案内表示キー１３ｂを押圧操作することで排紙トレイの案内表示を消去していることを示してる。
【００４３】
ログアウト処理がされる前に、印刷ジョブが終了した場合は、ジョブ管理部３２は当該印刷ジョブ情報を消去し、次回のログイン時に表示しないように構成されている。
【００４４】
印刷ジョブ番号４を実行中に、一旦ログアウト処理がなされ、その後ログインした場合は、図６（ｂ）に示すように、直前のログアウト処理前に既に終了した印刷ジョブ番号１，２，３情報は表示されず、ログアウト以降に終了した印刷ジョブ毎に対応する出力先を案内表示するように構成されている。同図では、前回ログアウト処理以後に終了した印刷ジョブ番号４にかかる出力先が案内表示されていることを示している。
【００４５】
次に、フィニッシャユニット２００ついて説明する。図２に示すように、フィニッシャユニット２００は、フィニッシャ制御部５０、用紙を整合する整合部５１、ステープル／パンチ処理部５２、中折りや冊子折りをする折り処理部５３、画像形成ユニット１００から搬送された用紙を排紙部へと搬送する搬送部５４、用紙のジャム等を検知する検知部５５、排紙部としてのステープル／パンチ処理がなされた用紙を排紙するメイントレイ６０、フェースアップ出力可能なサブトレイ６１、複数のメールボックス６２、折り処理や冊子処理がなされた用紙を排紙する中折りトレイ６３等により構成され、各部はバスにより接続されている。
【００４６】
フィニッシャ制御部５０は、図３に示すように、ＣＰＵ、ＲＯＭ、ＲＡＭ等により構成され、ＣＰＵは、ＲＯＭに記憶されているシステムプログラムや各後処理機能ブロックの処理プログラムを読み出してＲＡＭ内に展開し、展開されたプログラムに従って、フィニッシャユニット２００各部の動作を集中制御する。フィニッシャ制御部５０は、画像形成ユニット１００の制御部２０との間で、シリアル通信ライン２５を介して、コピー動作時データ送受信シーケンスに従い、画像形成ユニット１００の動作に基づいてフィニッシャユニット２００へコピースタート信号、紙排出信号等の制御信号を送信し、フィニッシャユニット２００内でのジャム検知等を受信する等の各種制御信号の送受信を行っている。
【００４７】
整合部５１は、傾斜をもって配設されており、搬送路５４により整合部５１上部に搬送された用紙は、自重により整合部５１に滑り落ちて停止する。これにより、複数の用紙を搬送方向及び搬送方向と直行する幅方向に整合する。また、図示しない軽打機構により用紙を軽打することにより、搬送方向と直交する用紙面の幅揃えを行う。
【００４８】
ステープル／パンチ処理部５２は、画像形成ユニット１００から排出され、整合部５１で整合された用紙に所定にステープル処理またはパンチ処理を行う。
【００４９】
折り処理部５３は、用紙突き出し突起及び折りローラ等から構成され、折り処理開始信号により、突き出し突起が斜め上方に直進して、突き出し突起の先端部は、用紙束の所定の位置を押し上げ、用紙束を介して折りローラのニップ部を押し広げて揺動、離間させ、突き出し突起の先端部が前記ニップ部を通過後、突き出し突起が後退して、用紙束の所定の位置に、折りローラにより挟圧されて、折り目を形成する。冊子処理を行う場合は、折り処理の行われた用紙束に綴じ針を打ち、断裁処理を行う。
【００５０】
搬送部５４は、モータ等からなる駆動部分を含むローラを用いて、画像形成ユニット１００から搬送された用紙及び、ステープル／パンチ処理、折り処理等の各種後処理がなされた用紙を、所定のメイントレイ６０、サブトレイ６１、複数のメールボックス６２、中折りトレイ６３へと搬送する。
【００５１】
検知部５５は、入口検知センサ、バイパスセンサ、通過検知センサ、排紙センサ等からなり、用紙の位置を検知することによりジャムの発生、ジャム位置、ジャム解除を検知し、この検知情報を制御部５０へ出力する。
【００５２】
以下、上述の構成を備えたデジタル複合機１の印刷ジョブの実行処理と出力先表示処理について説明する。
【００５３】
図７（ａ）に示すように、ユーザがネットワークで接続されたＰＣ９０から印刷ジョブＪを送信し、画像形成ユニット１００は印刷ジョブＪを受信する（ステップＳＡ１）。制御部２０に備えられたジョブ管理部３２は、受信した印刷ジョブに付加されたユーザＩＤ等のユーザ情報を分析し（ステップＳＡ２）、ユーザ認証部３１は、認証サーバを使用して受信した印刷ジョブＪがネットワークに正規に許可されたＰＣ９０からの送信であればネットワーク認証する（ステップＳＡ３でＯＫ）。
【００５４】
ネットワーク認証がなされると、ジョブ管理部３２は印刷ジョブＪを保存し（ステップＳＡ４）、印刷ジョブＪに付加されたジョブ条件により印刷枚数や後処理方法を判断し、結果を制御部２０に出力する。
【００５５】
制御部２０は、ジョブ管理部３２で管理する印刷ジョブＪに付加されたジョブ条件に基づいて、画像形成ユニット１００及びフィニッシャユニット２００の各機能ブロックに制御信号を送信し、所定の印刷ジョブＪを実行する（ステップＳＡ５）。
【００５６】
尚、受信した印刷ジョブＪがネットワーク認証されない場合は（ステップＳＡ３でＮＧ）、印刷ジョブＪは拒絶され（ステップＳＡ６）、デジタル複合機１で実行されない。
【００５７】
次に、図７（ｂ）に基づいて、印刷ジョブＪの出力先表示処理について説明する。
【００５８】
ユーザはＰＣ９０から印刷ジョブＪを送信した後、操作部１２に表示されたログイン画面でユーザのＩＤ及びパスワードを入力する（ステップＳＢ１）。前記入力されたユーザのＩＤとパスワードがユーザ管理部３０で予め登録されたものと一致すればユーザがローカル認証され（ステップＳＢ２でＯＫ）、デジタル複合機１へログインすることとなる。印刷ジョブＪは正規の印刷ジョブであり、デジタル複合機１で実行されている（ステップＳＢ３）。
【００５９】
印刷ジョブＪによる出力先が、操作表示部１２ｂに表示される（ステップＳＢ４）。この表示を参照することで、ユーザが印刷ジョブＪのジョブ条件として冊子処理を指示し、メイントレイ６０に排紙するように指示しても、冊子処理が行われるのは折り処理部５３であり、その出力先は中折りトレイ６３であるような場合に、つまり、ユーザが指示した出力先とは異なる排紙トレイに出力された場合に、ユーザは印刷ジョブＪによる印刷物を容易に回収することできる。
【００６０】
または、ユーザが出力先を指示しなかった場合、他の印刷ジョブとの関係で、必ずしもデフォルト設定の排紙トレイに出力されるとは限らず、ユーザはどの排紙トレイに自己の指示した印刷ジョブＪによる印刷物が出力されているかわからない。このような場合も、表示された出力先を参照することで、ユーザは印刷ジョブＪによる印刷物を容易に回収することできる。
【００６１】
ログアウトは操作入力部１２ａに備えたログアウトキーを押圧操作するか、所定の時間経過で自動的にログアウト処理が行われ、出力先の表示が終了する。
【００６２】
ログアウト処理の時点で印刷ジョブＪが終了していると（ステップＳＢ５でＹＥＳ）、ジョブ管理部３２に保存された印刷ジョブＪに関するジョブ情報は消去される（ステップＳＢ６）。よって次回のログイン時には、印刷ジョブＪによる排紙トレイの表示は行われない（ステップＳＢ４でＮＯ）。
【００６３】
尚、ログアウト処理の時点で印刷ジョブＪが終了していないと（ステップＳＢ５でＮＯ）、ジョブ管理部３２に保存された印刷ジョブＪに関するジョブ情報は消去されず（ステップＳＢ６）、次回のログイン時にも表示されることとなる。
【００６４】
上述のように、デジタル複合機１にログインしたユーザは、自己の印刷ジョブに関して表示された出力先を参照しながら、印刷物を回収することができるようになり、複数の排紙トレイから容易に探し出すことができ、さらに、複数のトレイに印刷出力した場合であっても、取り忘れを防止することができる。
【００６５】
上述の実施形態では、ネットワーク認証がなされた印刷ジョブは、ユーザのローカル認証の許否に関らず実行される構成について説明したが、ネットワーク認証がされた印刷ジョブをすぐには実行せずに、ユーザがログイン認証されたときに実行されるようにしてもよい。
【００６６】
上述の実施形態では、ローカル認証によるログインは、ユーザ認証部が操作入力部１２ａで入力されたユーザＩＤ及びパスワードとユーザ管理部１１に登録されたユーザ情報に基づく構成について説明したが、ログイン方法はＩＣカードによって行う構成であってよい。ユーザＩＤ及びパスワード入力の手間が省ける。
【００６７】
上述の実施形態では、印刷ジョブによる出力先がデフォルトに設定された排出部であるか否かに関らず、ログイン時にはユーザに報知する構成について説明したが、デフォルトに設定された排出部に出力された印刷ジョブに関しては報知をせず、ユーザの意図しない排出部に出力された場合のみ報知する構成であってもよい。
【００６８】
上述の実施形態では、ユーザが案内表示キー１３を操作することで印刷ジョブに対する排紙トレイの案内表示を表示または非表示する構成について説明したが、排紙トレイに印刷物検知センサを備え、ログイン中に印刷ジョブが終了し、出力された印刷物を排紙トレイから回収と表示を終了する構成であってもよい。
【００６９】
上述した実施形態では、排紙トレイの表示は、ログインしたユーザに当該ユーザの印刷ジョブによる出力先を報知できればアイコン表示、テキスト表示等のどのような表示態様でも良く、図８に示すように、さらに排紙トレイの近傍に表示ランプ７０（７０ａ〜７０ｊ）を備え点灯、点滅、発光色の変更等により、ユーザに報知する構成であっても良い。当該表示ランプ７０に基づきユーザは印刷物を複数の排紙トレイから容易に探し出すことができ、さらに複数のトレイに印刷出力した場合であっても、印刷物の取り忘れを防止することができる。同図では表示ランプ７０ｆ及び７０ｈが点灯していることを示しており、ユーザは印刷物がサブトレイ６１及び中折りトレイ６２に出力されていることが確認できる。
【００７０】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００７１】
【図１】デジタル複合機の斜視図
【図２】デジタル複合機の概略図
【図３】主要な機能ブロックの説明図
【図４】ログイン画面の説明図
【図５】印刷ジョブに付加されたジョブ情報の説明図
【図６】状況確認画面の説明図
【図７】（ａ）はジョブの管理処理プロセスのフローチャート、（ｂ）は出力先表示処理のフローチャート
【図８】別実施形態を示すデジタル複合機の斜視図
【符号の説明】
【００７２】
１：デジタル複合機
２：原稿載置部
３：画像読取部
４：画像処理部
５：画像形成部
６：転写部
７：定着部
８：用紙収容部
９：搬送部
１０：排紙トレイ
１１：排紙トレイ
１２：操作部
１２ａ：操作入力部
１２ｂ：操作表示部
１３：案内表示キー
２０：制御部
２１：マイクロコンピュータ
２２：ＣＰＵ
２３：ＲＯＭ
２４：ＲＡＭ
２５：シリアル通信ライン
３０：ユーザ管理部
３１：ユーザ認証部
３２：ジョブ管理部
３３：報知部
５０：フィニッシャ制御部
５５：検知部
５１：整合部
５２：ステープル／パンチ処理部
５３：折り処理部
５４：搬送部
６０：メイントレイ
６１：サブトレイ
６２：複数のメールボックス
６３：中折りトレイ
９０：ＰＣ
１００：画像形成ユニット
２００：フィニッシャユニット
【図１】
2009285848.tif 000003
【図２】
2009285848.tif 000004
【図３】
2009285848.tif 000005
【図４】
2009285848.tif 000006
【図５】
2009285848.tif 000007
【図６】
2009285848.tif 000008
【図７】
2009285848.tif 000009
【図８】
2009285848.tif 000010